(57)【特許請求の範囲】
【請求項１】
複数行複数列の分割画面を構成する表示パネルと、表示パネルを制御する制御部とを備え、制御部が図柄を行方向または列方向のいずれかに回転するように分割画面の全部に可変表示した後に、制御部が図柄を分割画面ごと１つずつ停止表示させ、図柄の回転方向と交差する方向に設定された当たりライン上において停止表示された複数の図柄が予め設定された特定図柄で揃うと、制御部が遊技者に有利な遊技状況を発生する遊技機の画像表示装置において、図柄の回転方向に一連となる複数の分割画面からなる１つの行または列が他の行または列に対し図柄の回転方向に１つの分割画面の範囲よりも少ない範囲で位置をずらして設定され、この位置のずらされた１つの行または列を構成する分割画面の個数が他の行または列を構成する分割画面の個数よりも１個多く設定され、この位置がずらされて分割画面の多くなった１つの行または列における図柄の回転方向の前側の分割画面と図柄の回転方向の後側の分割画面との間の分割画面における図柄の回転方向の寸法は、他の行または列の分割画面における図柄の回転方向の寸法と同じに設定され、この位置がずらされて分割画面数の多くなった１つの行または列における図柄の回転方向の前側の分割画面における図柄の回転方向の寸法と後側の分割画面における図柄の回転方向との寸法とは前側の分割画面と後側の分割画面との間の分割画面における図柄の回転方向の寸法よりも小さく設定されたことによって、図柄の停止ラインが図柄の回転方向に並ぶ２つの既設の停止ライン間に新設され、既設の停止ラインと新設の停止ラインとの両方が図柄の停止に使用され、図柄の回転方向と交差する方向に設定される当たりラインの個数が図柄の回転方向に一連となる複数の分割画面からなる１つの行または列での分割画面の個数を多くするよりも以前における複数行複数列の分割画面の場合よりも増やせることを特徴とする遊技機の画像表示装置。
【請求項２】
複数行複数列の分割画面を構成する表示パネルと、表示パネルを制御する制御部とを備え、制御部が図柄を行方向または列方向のいずれかに回転するように分割画面の全部に可変表示した後に、制御部が図柄を分割画面ごと１つずつ停止表示させ、図柄の回転方向と交差する方向に設定された当たりライン上において停止表示された複数の図柄が予め設定された特定図柄で揃うと、制御部が遊技者に有利な遊技状況を発生する遊技機の画像表示装置において、図柄の回転方向に一連となる複数の分割画面からなる行または列の全部が上記複数行複数列の分割画面に対し図柄の回転方向に１つの分割画面の範囲よりも少ない範囲で位置をずらして設定され、この位置のずらされた行または列全部を構成する分割画面の個数が上記複数行複数列の分割画面の個数よりも多く設定され、この位置がずらされて分割画面数の多くなった行または列における図柄の回転方向の前側の分割画面と図柄の回転方向の後側の分割画面との間の分割画面における図柄の回転方向の寸法は、上記複数行複数列の分割画面における図柄の回転方向の寸法と同じに設定され、この位置がずらされて分割画面数の多くなった行または列における図柄の回転方向の前側の分割画面における図柄の回転方向の寸法と後側の分割画面における図柄の回転方向との寸法とは前側の分割画面と後側の分割画面との間の分割画面における図柄の回転方向の寸法よりも小さく設定されたことによって、図柄の停止ラインが図柄の回転方向に並ぶ２つの既設の停止ライン間に新設され、既設の停止ラインと新設の停止ラインとの両方が図柄の停止に使用され、図柄の回転方向と交差する方向に設定される当たりラインの個数が図柄の回転方向に一連となる複数の分割画面からなる行または列の全部の分割画面の個数を多くするよりも以前における複数行複数列の分割画面の場合よりも増やせることを特徴とする遊技機の画像表示装置。
【請求項３】
分割画面を２行３列または３行２列の６分割画面に構成したことを特徴とする請求項１または請求項２記載の遊技機の画像表示装置。
【発明の詳細な説明】
【０００１】
【産業上の利用分野】
この発明はパチンコ機、アレパチ機、アレンジボール、スロットマシンなどの遊技機に用いられ、表示パネルの表示画面に複数行複数列の分割画面を有し、これらの分割画面に複数の図柄を可変表示して停止し、それらの停止した複数の図柄の全部が揃うと、遊技者に有利な遊技状況を発生する画像表示装置に関する。
【０００２】
【従来の技術】
上記のような遊技機では音や光による表示に加えて、表示パネルの複数の分割画面に複数の図柄を可変表示して停止し、その停止した図柄の全部が揃うと、大当たりと呼ばれるような遊技者に有利な遊技状況を発生するというように、遊技者の視覚に訴える表示機能を有する画像表示装置を設けて、その遊技性を高めるようにしている。
【０００３】
遊技機における画像表示装置としては、表示パネルに複数行複数列配置の分割画面を有するものが知られおり、例えば図４のＡ図に示すように、表示パネルの表示面を３行３列の９分割画面に構成し、複数行複数列中の行を縦方向とし、列を横方向とし、第１エリア〜第９エリアを有し、各エリアでは例えば数字の「０」、「１」、「２」、「３」、「４」、「５」、「６」、「７」、「８」、「９」およびアルファベットの「Ａ」、「Ｂ」、「Ｃ」、「Ｄ」、「Ｅ」などの合計十数種類からなる複数の図柄を可変表示可能とし、始動口または第１種始動口と呼ばれている特定入賞領域に遊技球が入ることによって、左側の第１行目を構成する第１エリア、第４エリアおよび第７エリアでは一連の図柄をあたかも縦方向に回転しているように可変表示し、中間の第２行目を構成する第２エリア、第５エリアおよび第８エリアでは別の一連の図柄をあたかも縦方向に回転しているように可変表示し、第３行目を構成する第３エリア、第６エリアおよび第９エリアではさらに別の一連の図柄をあたかも縦方向に回転しているように可変表示し、可変表示の開始から所定の経過時間後に、各行を同時または各行間に数秒程度の時間差を以て順に停止し、つまり、第１列目を構成する第１エリア、第２エリアおよび第３エリアの図柄は第１列目と第２列目との境界に予め設定された停止ラインＳ７を基準として停止し、第２列目を構成する第４エリア、第５エリアおよび第６エリアの図柄は第２列目と第３列目との境界に予め設定された停止ラインＳ８を基準として停止し、第３列目を構成する第７エリア、第８エリアおよび第９エリアの図柄は表示パネル１の下縁に予め設定された停止ラインＳ９を基準として停止し、その停止状態において、複数の図柄が３つ揃う当たりラインＬ６，Ｌ７，Ｌ８，Ｌ９，Ｌ１０は、図４のＢ図に仮想線で示すように、第１列目、第２列目、第３列目および対角線上の２つの斜め列の合計五つ存在する。
【０００４】
【発明が解決しようとする課題】
パチンコ機では、６インチもの大形の表示パネルが使用されることもあるが、このような大形の表示パネルの場合には表示パネルの設置スぺースが大きくなり、表示パネルを除く遊技領域が狭くなり、その狭い遊技領域では遊技球の通る球筋が単調なものとなり、遊技性に欠けることが指摘されていることから、３．３インチ〜４インチ程度の大きさの表示パネルを使用するのが一般的であるが、この一般的に使用される表示パネルの表示画面を図４のＡ図に示すような９分割画面に構成した場合には、一つの分割画面で表現できる図柄が小さくて見づらくなるという不具合がある。
【０００５】
そこで、この発明は大形の表示パネルを使用しなくても、分割画面数をなるべく少なくして、一つの分割画面に大きな図柄を表現することができ、しかも図柄の当たりライン数も増加することができ、相克する表示パネルの小形化と、一つの分割画面で表現できる図柄の大形化とを満足して、遊技性が高められる遊技機の画像表示装置を提供しようとするものである。
【０００６】
【課題を解決するための手段】
この発明に係る遊技機の画像表示装置は、複数行複数列の分割画面を構成する表示パネルと、表示パネルを制御する制御部とを備え、制御部が図柄を行方向または列方向のいずれかに回転するように分割画面の全部に可変表示した後に、制御部が図柄を分割画面ごと１つずつ停止表示させ、図柄の回転方向と交差する方向に設定された当たりライン上において停止表示された複数の図柄が予め設定された特定図柄で揃うと、制御部が遊技者に有利な遊技状況を発生する遊技機の画像表示装置において、図柄の回転方向に一連となる複数の分割画面からなる１つの行または列が他の行または列に対し図柄の回転方向に１つの分割画面の範囲よりも少ない範囲で位置をずらして設定され、この位置のずらされた１つの行または列を構成する分割画面の個数が他の行または列を構成する分割画面の個数よりも１個多く設定され、この位置がずらされて分割画面の多くなった１つの行または列における図柄の回転方向の前側の分割画面と図柄の回転方向の後側の分割画面との間の分割画面における図柄の回転方向の寸法は、他の行または列の分割画面における図柄の回転方向の寸法と同じに設定され、この位置がずらされて分割画面数の多くなった一つの行または列における図柄の回転方向の前側の分割画面における図柄の回転方向の寸法と後側の分割画面における図柄の回転方向との寸法とは前側の分割画面と後側の分割画面との間の分割画面における図柄の回転方向の寸法よりも小さく設定されたことによって、図柄の停止ラインが図柄の回転方向に並ぶ２つの既設の停止ライン間に新設され、既設の停止ラインと新設の停止ラインとの両方が図柄の停止に使用され、図柄の回転方向と交差する方向に設定される当たりラインの個数が図柄の回転方向に一連となる複数の分割画面からなる１つの行または列での分割画面の個数を多くするよりも以前における複数行複数列の分割画面の場合よりも増やせるか、または、複数行複数列の分割画面を構成する表示パネルと、表示パネルを制御する制御部とを備え、制御部が図柄を行方向または列方向のいずれかに回転するように分割画面の全部に可変表示した後に、制御部が図柄を分割画面ごと１つずつ停止表示させ、図柄の回転方向と交差する方向に設定された当たりライン上において停止表示された複数の図柄が予め設定された特定図柄で揃うと、制御部が遊技者に有利な遊技状況を発生する遊技機の画像表示装置において、図柄の回転方向に一連となる複数の分割画面からなる行または列の全部が上記複数行複数列の分割画面に対し図柄の回転方向に１つの分割画面の範囲よりも少ない範囲で位置をずらして設定され、この位置のずらされた行または列全部を構成する分割画面の個数が上記複数行複数列の分割画面の個数よりも多く設定され、この位置がずらされて分割画面数の多くなった行または列における図柄の回転方向の前側の分割画面と図柄の回転方向の後側の分割画面との間の分割画面における図柄の回転方向の寸法は、上記複数行複数列の分割画面における図柄の回転方向の寸法と同じに設定され、この位置がずらされて分割画面数の多くなった行または列における図柄の回転方向の前側の分割画面における図柄の回転方向の寸法と後側の分割画面における図柄の回転方向との寸法とは前側の分割画面と後側の分割画面との間の分割画面における図柄の回転方向の寸法よりも小さく設定されたことによって、図柄の停止ラインが図柄の回転方向に並ぶ２つの既設の停止ライン間に新設され、既設の停止ラインと新設の停止ラインとの両方が図柄の停止に使用され、図柄の回転方向と交差する方向に設定される当たりラインの個数が図柄の回転方向に一連となる複数の分割画面からなる行または列の全部の分割画面の個数を多くするよりも以前における複数行複数列の分割画面の場合よりも増やせることを特徴とする。分割画面を２行３列または３行２列の６分割画面に構成してもよい。
【０００７】
【作用】
この発明に係る遊技機の画像表示装置によれば、図柄の停止ラインが図柄の回転方向に並ぶ２つの既設の停止ライン間に１つ新設され、分割画面数をなるべく少なくして、一つの分割画面に大きな図柄を表現し、しかも図柄の当たりライン数も増やせる。分割画面を２行３列または３行２列の６分割画面にすれば、当たりライン数が、９分割画面構成で可能であるものの６分割画面構成では不可能であった５つに制定可能となる。
【０００８】
【実施例】
以下、この発明の実施例を図面とともに詳述する。
図１は実施例としての遊技機の画像表示装置を示す構成図である。
【０００９】
図１において、１は表示パネルを示し、これは図外のデザイン図の描かれた遊技板の前面に木ねじのようなねじ釘で取り付けられ、これの表示画面には複数行複数列に区分された分割画面を有し、複数行複数列中の行を縦方向とし、列を横方向とし、分割画面は３×２の第１エリア〜第６エリアからなる６分割画面に構成され、各エリアには例えば数字の「０」、「１」、「２」、「３」、「４」、「５」、「６」、「７」、「８」、「９」およびアルファベットの「Ａ」、「Ｂ」、「Ｃ」、「Ｄ」、「Ｅ」などの合計十数種類の図柄を可変表示可能になっている。
【００１０】
２は表示パネル１に図柄を可変表示するための制御部を示し、これは予め設定されたプログラムで動作するマイクロコンピュータにより構成され、遊技制御装置とは別体に構成されるかまたは遊技制御装置中に内蔵されて遊技板の裏面に取り付けられ、画面設定手段２ａと図柄停止手段２ｂとを有する。
【００１１】
画面設定手段２ａは遊技機の電源投入時の初期設定により、表示パネル１の分割画面を３×２の３行２列または２×３の２行３列の６分割画面に構成するとともに、その６分割画面に可変表示される図柄の回転方向を設定する。
【００１２】
図柄停止手段２ｂは画面設定手段２ａによって定められた分割画面構成および図柄の回転方向により、分割画面に対応して既設された隣接する停止ラインＳ１，Ｓ２の間に停止ラインＳ３を新設し、これらの停止ラインＳ１〜Ｓ３を使用して分割画面に図柄を停止する。
【００１３】
例えば、始動口または第１種始動口と呼ばれている特定入賞領域に遊技球が入ることによって、左側の第１行目を構成する第１エリアおよび第４エリアで一連の図柄をあたかも縦方向に回転しているように可変表示し、中間の第２行目を構成する第２エリアおよび第５エリアで別の一連の図柄をあたかも縦方向に回転しているように可変表示し、第３行目を構成する第３エリアおよび第６エリアでさらに別の一連の図柄をあたかも縦方向に回転しているように可変表示する、６分割画面構成で縦スクロールの場合には、図柄停止手段２ｂが第１列目と第２列目との境界と、表示パネル１の下縁とを予め設定された既設の停止ラインＳ１，Ｓ２とし、これら既設の停止ラインＳ１，Ｓ２の間で二等分位置に停止ラインＳ３を新設し、これらの停止ラインＳ１〜Ｓ３を使用し、可変表示の開始から所定の経過時間後に、各行を同時または各行間に数秒程度の時間差を以て順に、分割画面に図柄を停止する。
【００１４】
図１では表示パネル１の右側に網がけの三角形を図示して既設の停止ラインＳ１，Ｓ２を表示し、白抜きの三角形を図示して点線示の新設の停止ラインＳ３を表示してある。
【００１５】
この実施例によれば、図外の電源を投入することにより、制御部２が起動して表示パネル１を例えば３×２の６分割画面に構成するとともに、その６分割画面に可変表示される図柄の回転方向を設定し、遊技の可能な状態となり、その状態において、遊技者が発射装置を操作し、遊技球を表示パネル１の周囲における遊技領域に弾き、その弾かれた遊技球が遊技領域を下方に転がって図外の始動口や第１種始動口などの特定入賞領域に入ると、表示パネル１の第１行目を構成する第１エリアおよび第４エリアで一連の図柄をあたかも縦方向に回転しているように可変表示し、中間の第２行目を構成する第２エリアおよび第５エリアで別の一連の図柄をあたかも縦方向に回転しているように可変表示し、第３行目を構成する第３エリアおよび第６エリアでさらに別の一連の図柄をあたかも縦方向に回転しているように可変し、可変表示の開始から所定の経過時間後に、各行を同時または各行間に数秒程度の時間差を以て順に停止ラインＳ１〜Ｓ３を使用して停止する。
【００１６】
例えば、図２のＡ図に示すように、第１エリアおよび第３エリアでは図柄を停止ラインＳ１を基準として停止し、第２エリアでは図柄を停止ラインＳ３を基準として停止することによって、第４エリアおよび第６エリアでは図柄が停止ラインＳ２を基準として停止する一方、第２行目における停止した第２エリアの図柄の上部において面積が半分となった部分１ａには第２エリアに停止された図柄に回転方向で上に続く図柄の下半分が停止し、第２エリアの図柄の下部において面積が半分となった部分１ｂには第２エリアに停止された図柄に回転方向で下に続く図柄の上半分が停止し、結果として、表示パネル１には仮想線で示す対角線上の２つの斜め列の当たりラインＬ４，Ｌ５が制定され、これらの当たりラインＬ４，Ｌ５上で停止した図柄が３つ揃うと、制御部２が当たり信号を図外の遊技制御装置に出力し、遊技制御装置が例えば遊技板上のアタッカを動作して遊技者に有利な遊技を開始する。
【００１７】
また、図２のＢ図に示すように、第１エリア、第２エリアおよび第３エリアでは図柄を停止ラインＳ１を基準として停止することによって、第４エリア、第５エリアおよび第６エリアでは図柄が停止ラインＳ２を基準として停止し、結果として、表示パネル１には仮想線で示す上下２つの列方向の当たりラインＬ１，Ｌ３が制定され、これらの当たりラインＬ１，Ｌ３上で停止した図柄が３つ揃うと、制御部２が当たり信号を図外の遊技制御装置に出力し、遊技制御装置が例えば遊技板上のアタッカを動作して遊技者に有利な遊技を開始する。
【００１８】
さらに、図２のＣ図に示すように、第１エリア、第２エリアおよび第３エリアでは図柄を停止ラインＳ３を基準として停止することによって、第１エリア〜第３エリアの図柄の上部において面積が半分となった部分１ｃ，１ｄ，１ｅには第１〜第３エリアに停止された図柄に回転方向で上に続く図柄の下半分が停止し、第１エリア〜第３エリアの図柄の下部において面積が半分となった部分１ｆ，１ｇ，１ｈには第１エリア〜第３エリアに停止された図柄に回転方向で下に続く図柄の上半分が停止し、結果として、表示パネル１には仮想線で示す１つの列方向の当たりラインＬ２が制定され、この当たりラインＬ２上で停止した図柄が３つ揃うと、制御部２が当たり信号を図外の遊技制御装置に出力し、遊技制御装置が例えば遊技板上のアタッカを動作して遊技者に有利な遊技を開始する。
【００１９】
要するに、この実施例によれば、制御部２が起動した後に、遊技球が図外の特定領域に入ると、制御部２が乱数などを用いて停止図柄の組み合わせを決定するとともに、合計５つ存在する当たりラインＬ１〜Ｌ５のうちの１つの当たりラインを決定し、さらに、決定された１つの当たりラインにしたがい第１行目〜第３行目ごとに停止ラインＳ１〜Ｓ３を決定した後に、表示パネル１の第１エリア〜第６エリアのそれぞれに複数の図柄を可変表示し、この可変表示の開始から所定の経過時間後に、決定された停止ラインＳ１〜Ｓ３を基準として第１エリア〜第６エリアごとに図柄を停止する。
【００２０】
結果として、表示パネル１の分割画面を６分割画面構成することで、表示パネル１の分割画面を９分割画面構成した場合に比べて、１つの分割画面の面積が広くなり、一つの分割画面で表現できる図柄を大きくして見やすくできる一方、図柄の当たりライン数も、９分割画面構成で可能であるものの６分割画面構成では不可能であった、５つに増やすことができ、遊技性を高めることができる。
【００２１】
上記実施例では３×２の６分割画面構成で各分割画面に図柄をあたかも縦方向に回転するように可変表示した例を図示して説明したが、図３に示すように、表示パネル１の分割画面を２×３の６分割画面構成で各分割画面に図柄をあたかも横方向に回転するように可変表示することも可能である。
【００２２】
図３に示す実施例ように、最上の第１列目を構成する第１エリアおよび第２エリアで一連の図柄をあたかも横方向に回転しているように可変表示し、中間の第２列目を構成する第３エリアおよび第４エリアで別の一連の図柄をあたかも横方向に回転しているように可変表示し、第３列目を構成する第５エリアおよび第６エリアでさらに別の一連の図柄をあたかも横方向に回転しているように可変表示する、６分割画面構成で横スクロールの場合には、第１行目と第２行目との境界と、表示パネル１の左縁とを予め設定された既設の停止ラインＳ４，Ｓ５とし、これら既設の停止ラインＳ４，Ｓ５の間で二等分位置に停止ラインＳ６を新設し、これらの停止ラインＳ４〜Ｓ６を使用し、可変表示の開始から所定の経過時間後に、各列を同時または各列間に数秒程度の時間差を以て順に、分割画面に図柄を停止することによって、第１行目、第２行目、第１行目と第２行目との間で縦方向の列、および対角線上の２つの斜め列の合計五つの当たりラインを制定することができる。
【００２３】
上記各実施例では表示パネル１の分割画面を６分割画面構成した例を図示して説明したが、この発明は表示パネル１の分割画面構成は２×２の４分割画面構成以上に実施して当たりライン数を増やすことができる。
【００２４】
また、上記実施例において遊技球の特定領域への入賞を、メダルの投入と読み替えることによって、スロットマシンにも適用できる。
【００２５】
【発明の効果】
この発明は次のような効果を奏する。図柄の停止ラインが図柄の回転方向に並ぶ２つの既設の停止ライン間に新設され、既設の停止ラインと新設の停止ラインとの両方が図柄の停止に使用され、図柄の回転方向と交差する方向に設定される当たりラインの個数が図柄の回転方向に一連となる複数の分割画面からなる行または列での分割画面の個数を多くするよりも以前における複数行複数列の分割画面の場合よりも増やせるるので、大形の表示パネルを使用しなくても、分割画面数をなるべく少なくして、一つの分割画面に大きな図柄を表現することができ、相克する表示パネルの小形化と、１つの分割画面で表現できる図柄の大形化とを満足して、遊技性を高めることができる。表示パネルの分割画面を２行３列または３行２列の６分割画面に構成すれば、当たりライン数を９分割画面構成で可能であるものの６分割画面構成では不可能であった５つに制定することができ、遊技性を高めることができる。
【図面の簡単な説明】
【図１】  第１実施例を示す構成図。
【図２】  同実施例の作用を説明する表示パネル面図。
【図３】  第２実施例を示す表示パネルの構成図。
【図４】  従来の９分割画面構成を示す表示パネル面図。
【符号の説明】
１  表示パネル
２  制御部
２ａ  画面設定手段
２ｂ  図柄停止手段
Ｓ１〜Ｓ９  停止ライン
Ｌ１〜Ｌ１０  当たりライン
【図１】
0003813643.tif 000002
【図２】
0003813643.tif 000003
【図３】
0003813643.tif 000004
【図４】
0003813643.tif 000005